(57)【要約】  洗濯機の噴射システムおよび洗濯機において、前記噴射システムは一端が取水口（１）である噴射管路（７）を含む。気圧連通装置（２）をさらに含み、前記気圧連通装置（２）の一側は噴射管路（７）と通じ、もう一側は洗濯機外槽と通じる。構造が簡単な利点を有し、さらに気圧連通装置（２）は洗濯機外槽および噴射管路（７）を通じさせることができる。洗濯機外槽および噴射管路（７）の圧力が同じであることを保証し、噴射管路（７）中の水が全て洗濯機外槽内に流入することができることを保証し、噴射管路（７）内に水が残ることにより、ドアを開くと水が垂れる問題を防止する。【選択図】図１
2018528036.tif 000002
【特許請求の範囲】
【請求項１】
一端が取水口（１）である噴射管路（７）を含む洗濯機の噴射システムであって、気圧連通装置（２）をさらに含み、前記気圧連通装置（２）の一側は噴射管路（７）と通じ、もう一側は洗濯機外槽と通じることを特徴とするシステム。
【請求項２】
前記気圧連通装置（２）は、噴射管路（７）における洗濯機取水口（１）の下流に設置され、前記気圧連通装置（２）の少なくとも一側は噴射管路（７）内に設置され、もう一側は洗濯機外槽と通じることを特徴とする、請求項１に記載の洗濯機の噴射システム。
【請求項３】
前記気圧連通装置（２）は、噴射管路（７）における取水口（１）に近い部分に設置されることを特徴とする、請求項２に記載の洗濯機の噴射システム。
【請求項４】
前記気圧連通装置（２）は「開」、「閉」の２つの状態を有し、「開」状態のとき、洗濯機外槽は前記気圧連通装置（２）を介して前記噴射管路（７）と通じることを特徴とする、請求項１〜３のいずれか１項に記載の洗濯機の噴射システム。
【請求項５】
前記気圧連通装置（２）は逆止弁（８）であり、前記逆止弁（８）の出口は前記噴射管路（７）と通じ、入口は洗濯機外槽と通じることを特徴とする、請求項１〜４のいずれか１項に記載の洗濯機の噴射システム。
【請求項６】
前記逆止弁（８）の出口の少なくとも一部は、前記噴射管路（７）内に設置されることを特徴とする、請求項５に記載の洗濯機の噴射システム。
【請求項７】
前記逆止弁（８）は弁本体（１３）および弁棒（１４）を含み、前記弁棒（１４）は噴射管路（７）の中心に垂直に設置され、垂直方向に沿って移動し、前記逆止弁（８）は「開」、「閉」の２つの状態を有し、前記弁棒（１４）の運動により、前記逆止弁（８）を介して洗濯機外槽は前記噴射管路（７）と通じるか、または閉じられることを特徴とする、請求項５または６に記載の洗濯機の噴射システム。
【請求項８】
噴射管路内に設置され、前記逆止弁（８）の下流で、水流方向と垂直であり、前記逆止弁（８）の近くに位置する加圧リブ（３）をさらに含むことを特徴とする、請求項６または７に記載の洗濯機の噴射システム。
【請求項９】
前記噴射管路（７）は洗濯機の貯水槽カバー（１２）に一体成型で設置され、前記気圧連通装置（２）は前記貯水槽カバー（１２）を介して洗濯機の貯水槽（１１）と通じ、前記貯水槽（１１）は洗濯機外槽と通じることを特徴とする、請求項１〜８のいずれか１項に記載の洗濯機の噴射システム。
【請求項１０】
前記貯水槽カバー（１２）表面の上方に流路が設けられ、前記流路は前記貯水槽カバー（１２）と一体成型され、前記流路に流路カバーが設置され、前記流路カバーは前記流路と結合し、前記流路カバーおよび前記流路の内側が形成する空洞は噴射管路であることを特徴とする、請求項９に記載の洗濯機の噴射システム。
【請求項１１】
請求項１〜１０のいずれか１項に記載の噴射システムを有する洗濯機。
【発明の詳細な説明】
【技術分野】
【０００１】
本発明は洗濯機の技術分野に属し、具体的に洗濯機の噴射システムおよび洗濯機に関する。
【背景技術】
【０００２】
既存のドラム式洗濯機は衣服の洗浄が完了すると、窓パッキンおよびガラスに少量の泡沫が存在することがたびたびあり、ユーザが衣服を取り出すとき、これらの泡沫が洗濯した衣服に付着することがあり、泡沫が多いときは、再度すすぐ必要すらある。ユーザの要求が高まり続けるのに伴い、多くのハイエンド洗濯機はダブル噴射設計を採用し、プログラムがまもなく終了するとき、窓パッキンおよびガラスの泡沫をきれいに洗い流す。しかし、既存の構造設計は、一般的に１本の長いホースにより、噴射ヘッドおよび取水弁を接続し、直接噴射する。構造の中間にいかなる加圧および分圧設計も存在せず、水圧が過度に低いとき、２つの噴射口に噴射水量が不足する、または噴射が不均一になるなどの現象が出現することがある。噴射終了後、洗濯機の槽内の圧力が外部の圧力より高いとき、噴射管中の一部の水は完全に噴出されることができず、ユーザがドアを開いた瞬間に、噴射管中の水が機器外に垂れることもある。
【０００３】
中国特許出願番号第２０１４１００１４３６８号明細書は、洗濯機の給水ユニットを提供し、給水ユニットカバープレートを含む。給水ユニットカバープレートは冷水を通す水室を含み、水室の一側に取水口が設置され、水室の底部に出水口が設置される。給水ユニットカバープレートに、外槽から排出される熱蒸気を給水ユニットカバープレート内に通して、凝縮、液化する通気孔がさらに設けられる。さらに、該給水ユニットを有する洗濯機を提供する。
【０００４】
該特許は、洗濯機の給水ユニットを提供し、さらに凝縮管路を給水ユニットに取り付けているが、以下が存在する。（１）給水ユニットが給水を終了すると、洗濯機ドラム内の圧力が外部の圧力より高く、給水ユニット中の一部の水は完全に噴射されることができないため、ユーザがドアを開いた瞬間に、給水ユニットの水道管中の水が機器外に垂れることがある。（２）噴射管路中にいかなる加圧および分圧設計も加えられておらず、水圧が過度に低いとき、２つの噴射口に噴射水量が不足する、または噴射が不均一になるなどの現象が出現する。（３）凝縮管路の関連する設計は、空間構造の制限により、凝縮効果が顕著でない。（４）凝縮されていない熱蒸気が通気孔から洗濯機外槽に進入する可能性があり、洗濯機の部品が侵食される。
【０００５】
中国特許出願番号第２００９１０２５９３００号明細書は、槽を噴射洗浄する機能を有するパルセータ洗濯機を開示し、筐体と、筐体内部に位置し、洗濯水を溜める外槽と、外槽内部に取り付けられ、洗濯衣類を投入する内槽とを含む。前記内、外槽の間に、内、外槽の槽壁を同時に洗浄することができる噴射装置が取り付けられ、該噴射装置は洗濯機の取水口と通じる。前記噴射装置は内、外槽の間に固定して嵌める環状噴射器と、一端は環状噴射器とつながり、もう一端は洗濯機の取水口とつながる取水ホースとを含み、環状噴射器は円周に沿って内および外に噴射する噴射出水口を有する。前記環状噴射器は少なくとも２つの噴射取水口が設けられ、外槽に噴射取水口に対応して貫通孔が設けられ、噴射取水口は貫通孔を通過し、取水ホースを介して洗濯機の取水口と通じる。
【０００６】
該特許は一定の槽洗浄機能を有するが、以下が存在する。（１）該洗濯機の噴射管路の構造は複雑である。（２）噴射管路の動作中、水圧が過度に低いとき、２つの噴射口に噴射水量が不足する、または噴射が不均一になるなどの現象が出現する。（３）噴射管路および外槽の間に圧力調節装置を有さず、内槽の圧力が比較的高いため、噴射終了後に一部の水が管路中に残り、ドアを開くと水が垂れるなどの状況が生じることがある。
【０００７】
このことを考慮して、本発明を示す。
【先行技術文献】
【特許文献】
【０００８】
【特許文献１】中国特許出願番号第２０１４１００１４３６８号明細書
【特許文献２】中国特許出願番号第２００９１０２５９３００号明細書
【発明の概要】
【発明が解決しようとする課題】
【０００９】
本発明の目的は、既存技術においてドアを開けると水が垂れる問題を克服することであり、噴射終了後、噴射管路および洗濯機外槽を通じさせ、噴射管路に残った水を槽内に流入させることができ、ドアを開けると水が垂れるのを防止した洗濯機の噴射システムおよび洗濯機を提供する。
【課題を解決するための手段】
【００１０】
上記目的を実現するため、本発明は以下の技術案を採用する。
一端が取水口である噴射管路を含む洗濯機の噴射システムであって、気圧連通装置をさらに含み、前記気圧連通装置の一側は噴射管路と通じ、もう一側は洗濯機外槽と通じることを特徴とするシステム。前記気圧連通装置は「開」、「閉」の２つの状態を有し、噴射が終了すると、前記気圧連通装置が開き、さらには噴射管路および洗濯機外槽が通じる。洗濯機外槽の気圧は噴射管路の気圧と等しく、噴射管路に残った水は噴射管路を通過して洗濯機の槽内に落下することができる。洗濯機の槽内の圧力が比較的高いため、噴射管路中に残った水が管路中に留まり、ユーザが洗濯機のドアを開いた瞬間に、機器外に垂れる状況を効果的に防止することができる。
【００１１】
さらに、前記気圧連通装置は噴射管路における取水口の下流に設置され、前記気圧連通装置の少なくとも一側は噴射管路内に設置され、もう一側は洗濯機外槽と通じる。気圧連通装置の一側は噴射管路内に設置され、相応する接続管を必要とせず、取付が便利で、操作が容易な利点を有する。さらに気圧連通装置および洗濯機外槽の連通を実現することができ、これにより洗濯機外槽および噴射管路の圧力を調節し、洗濯機のドアを開くと水が垂れるなどの状況を解決する。
【００１２】
このうち、気圧連通装置を両側とも噴射管路に設置することもできる。貯水槽カバーを介して洗濯機外槽と通じる１つの接続管を必要とし、これにより噴射終了後、洗濯機の槽内の圧力が、前記気圧連通装置を介して噴射管路の圧力と等しいことを保証する。
【００１３】
さらに、前記気圧連通装置は「開」、「閉」の２つの状態を有し、「開」状態のとき、洗濯機外槽は前記気圧連通装置を介して前記噴射管路と通じる。このとき噴射管路の取水弁は閉じ、噴射管路に残った水は噴射管路を通過して洗濯機の槽内に流れることができ、ドアを開けると水が垂れる問題を解決する。「閉」状態のとき、洗濯機外槽は前記気圧連通装置を介して前記噴射管路と通じることができない。このとき、噴射管路の水は管路を通過してノズル部分まで流れ、洗濯機の槽内に撒かれる。
【００１４】
さらに、前記気圧連通装置は噴射管路における取水口に近い部分に設置される。該設計により、噴射管路に残った水をより充分に流出させることができる。
【００１５】
さらに、前記気圧連通装置は逆止弁であり、前記逆止弁の出口は前記噴射管路と通じ、入口は洗濯機外槽と通じる。逆止弁の単一方向での導通作用は、噴射管路および洗濯機外槽の連通および閉鎖を実現することができる。
【００１６】
さらに、前記逆止弁の出口の少なくとも一部は、前記噴射管路内に設置され、入口は洗濯機外槽と通じる。逆止弁が全て噴射管路中にあるとき、逆止弁の入口は接続管を介して洗濯機外槽と通じ、接続管および噴射管路の接続部分は密封設置を採用する。逆止弁の出口部分が噴射管路内に設置されるとき、逆止弁および噴射管路の接続部分は密封設置され、入口は洗濯機外槽と通じる。該取付は取付が便利で、操作が容易な利点を有する。さらに気圧連通装置および洗濯機外槽の連通を実現することができ、これにより洗濯機外槽および噴射管路の圧力を調節し、洗濯機のドアを開くと水が垂れるなどの状況を解決する。
【００１７】
さらに、前記逆止弁は弁本体および弁棒を含み、前記弁棒は噴射管路の中心に垂直に設置され、垂直方向に沿って移動する。前記逆止弁は「開」、「閉」の２つの状態を有し、前記弁棒の運動により、前記逆止弁を介して洗濯機外槽は前記噴射管路と通じるか、または閉じられ、槽内の気体を通過させるか、または槽内の気体が前記逆止弁を通過し、前記噴射管路と通じるのを阻止する。逆止弁の使用は便利で、取付は容易であり、さらにその単一方向の導通作用は、噴射管路および洗濯機外槽の連通および閉鎖を実現することができる。
【００１８】
さらに、噴射管路内に設置され、逆止弁と組み合わせて使用する加圧リブをさらに含み、前記加圧リブは前記逆止弁の下流で、水流方向と垂直であり、前記逆止弁の近くに設置される。前記加圧リブおよび噴射管路の接続は溶接、貼付、クラッディングなどの形式である。逆止弁のそばに取り付けられる加圧リブは噴射過程で水流に圧力を生じさせることができる。逆止弁は水流の圧力作用で逆止弁を閉状態にし、噴射過程で水流が順調に噴射管路中からノズル部分に流れることができることを保証する。
【００１９】
さらに、前記噴射管路のもう一端に、噴射管路を均等に２つの管路に分けるバッフル式加圧リブが設置され、前記噴射管路のもう一端はダブルノズルである。前記ダブルノズルの設計はより良好な洗浄効果を有し、ユーザのより高い要求を満たす。ダブルノズル上方に取り付けられ、噴射管路を均等に２つの管路に分けるバッフル式加圧リブは、水圧が過度に低いとき、２つのノズルに出現する噴射水量が不足する、または噴射が不均一になる現象を防止することができる。噴射水を均等に洗濯機内槽に吹きかけ、吹きかける過程がより良好な効果を有することを保証する。
【００２０】
さらに、前記噴射管路は貯水槽カバーに一体成型で設置され、前記気圧連通装置は前記貯水槽カバーを介して洗濯機の貯水槽と通じ、前記貯水槽は洗濯機外槽と通じる。好ましくは、前記貯水槽カバー表面の上方に流路が設けられ、前記流路は前記貯水槽カバーと一体成型される。前記流路に流路カバーが設置され、前記流路カバーは前記流路と結合し、前記流路カバーおよび前記流路の内側が形成する空洞は噴射管路である。これにより気圧連通装置および洗濯機外槽の連通を実現し、これにより洗濯機外槽および噴射管路の圧力が同じであることを保証する。噴射管路の水は全て洗濯機外槽に流入することができ、残ることはなく、噴射管路内に水が残り、ドアを開くと水が垂れるのを防止する。好ましくは、前記貯水槽カバー表面の上方に流路が設けられ、前記流路は前記貯水槽カバーと一体成型される。前記流路に流路カバーが設置され、前記流路カバーは前記流路と結合し、前記流路カバーおよび前記流路の内側が形成する空洞は噴射管路である。
【００２１】
上記噴射システムを有する洗濯機である。
【発明の効果】
【００２２】
本発明の前記技術案を採用すると、以下の有益な効果がもたらされる。
１、本発明の前記気圧連通装置は噴射が終了すると、噴射管路および洗濯機外槽を通じさせることができる。洗濯機外槽の気圧は噴射管路の気圧と等しく、噴射管路に残った水は、噴射管路を通過して洗濯機の槽内に落下することができる。洗濯機の槽内の圧力が比較的高いため、噴射管路中に残った水が管路中に留まり、ユーザが洗濯機のドアを開いた瞬間に、機器外に垂れる状況を効果的に防止することができる。
【００２３】
２、本発明の逆止弁を気圧連通装置として採用した設計構造は簡単で、取付は便利である。さらに噴射が終了したとき、洗濯機の槽内の高圧気体が逆止弁の弁棒を開き、すなわち洗濯機外槽および噴射管路の圧力を通じさせることができる。
【００２４】
３、本発明の気圧連通装置は噴射管路における取水口に近い部分に取り付けられ、噴射管路に残った水を可能な限り排出することができ、ドアを開くと水が垂れるのを減少させる。
【００２５】
４、本発明のダブルノズル設計はより良好な洗浄効果を有し、ユーザのより高い要求を満たす。さらに、ダブルノズルの上方に取り付けられるバッフル式加圧リブは、水圧が過度に低いとき、２つのノズルに出現する噴射水量が不足する、または噴射が不均一になる現象を防止することができる。噴射水を均等に洗濯機の槽内に吹きかけ、吹きかける過程がより良好な効果を有することを保証する。
【００２６】
以下、図を組み合わせて、本発明を実施するための形態について、さらに詳細に説明する。
【図面の簡単な説明】
【００２７】
【図１】図１は、本発明における、噴射管路中に気体連通装置を有する貯水槽カバーの構造図である。
【図２】図２は、本発明における、噴射管路中に逆止弁を有する貯水槽カバーの構造図である。
【図３】図３は、本発明の貯水槽の上方における各構造の分解図である。
【図４】図４は、図２のＣ−Ｃ方向の断面図である。
【図５】図５は、図２のＡ−Ａ方向の断面図である。
【発明を実施するための形態】
【００２８】
以下、図を組み合わせて、本発明を実施するための形態について、さらに説明する。
【００２９】
図１に示すように、洗濯機の噴射システムは、一端が取水口１である噴射管路７を含む。気圧連通装置２をさらに含み、前記気圧連通装置２の一側は噴射管路７と通じ、気圧連通装置２のもう一側は前記貯水槽カバー１２を介して貯水槽１１と通じ、貯水槽１１は洗濯機外槽と通じ、さらには噴射管路７および洗濯機外槽が通じる。前記気圧連通装置２は「開」、「閉」の２つの状態を有し、噴射が終了すると、前記気圧連通装置２が開き、さらには噴射管路７および洗濯機外槽が通じる。洗濯機外槽の気圧は噴射管路７の気圧と等しく、噴射管路７に残った水は、噴射管路７を通過して洗濯機の槽内に落下することができる。洗濯機の槽内の圧力が比較的高いため、噴射管路７中に残った水が管路中に留まり、ユーザが洗濯機のドアを開いた瞬間に、機器外に垂れる状況を効果的に防止することができる。
【００３０】
図１、２、３に示すように、前記噴射システムは貯水槽１１の貯水槽カバー１２に一体に設置され、気圧連通装置２は前記貯水槽カバー１２を介して洗濯機の貯水槽と通じ、洗濯機の貯水槽は洗濯機外槽と通じる。好ましくは、前記貯水槽カバー１２表面の上方に流路が設けられ、前記流路は前記貯水槽カバー１２と一体成型される。前記流路に流路カバーが設置され、前記流路カバーは前記流路と結合し、前記流路カバーおよび前記流路の内側が形成する空洞は噴射管路である。貯水槽１１の貯水槽カバー１２にさらに凝縮器４が取り付けられ、前記凝縮器４の凝縮管路は「回」の字状の折返し方式を採用する。熱蒸気は熱蒸気入口９から「回」の字状の通路に進入し、凝縮管路を経過して、凝縮水入口１０から機器内部に戻る。凝縮器の「回」の字状の設計は凝縮器の長さを長くし、蒸気の管路内における時間を延長させ、より良好な凝縮効果を有する。さらに熱蒸気が漏れることにより、洗濯機の部材が侵食されるのを防止することができる。噴射システムおよび凝縮器４はいずれも貯水槽の上方に設計され、貯水槽カバーの後方は通水孔であり、ホースを介して取水弁と接続することができる。通水孔内は様々な水路に対応し、制御弁の開閉により、主洗浄、予備洗浄、噴射、軟化などの取水を簡単に実現する。さらに不必要な空間の占用を減少させることができ、コストを節約する。
【実施例】
【００３１】
実施例１
図１に示すように、前記気圧連通装置２は噴射管路７における取水口１の下流に設置される。前記気圧連通装置２の一側は噴射管路７内に設置され、気圧連通装置２のもう一側は前記貯水槽カバー１２を介して貯水槽１１と通じ、貯水槽１１は洗濯機外槽と通じ、さらには噴射管路７および洗濯機外槽が通じる。気圧連通装置２の一側は噴射管路７内に設置され、相応する接続管を必要とせず、取付が便利で、操作が容易な利点を有する。さらに気圧連通装置２および洗濯機外槽の連通を実現することができ、これにより洗濯機外槽および噴射管路７の圧力を調節し、洗濯機のドアを開くと水が垂れるなどの状況を解決する。
【００３２】
このうち、気圧連通装置２を両側とも噴射管路７に設置することもできる。貯水槽カバー１２を介して洗濯機の貯水槽１１と通じる１つの接続管を必要とし、洗濯機の貯水槽１１は洗濯機外槽と通じる。これにより、洗濯機の槽内の圧力が噴射管路７内の圧力と等しいことを保証する。
【００３３】
前記気圧連通装置２は「開」、「閉」の２つの状態を有し、噴射時、前記気圧連通装置２は閉じ、水流は正常に噴射管路７を通過してノズル部分に流れる。噴射が終了すると、前記気圧連通装置２は開く。気圧連通装置２は前記貯水槽カバー１２を介して貯水槽１１と通じ、貯水槽１１は洗濯機外槽と通じ、さらには噴射管路７および洗濯機外槽が通じる。洗濯機外槽の気圧は噴射管路７の気圧と等しく、噴射管路７に残った水は、噴射管路７を通過して洗濯機の槽内に落下することができる。
【００３４】
前記気圧連通装置２および噴射管路７の接続は、溶接、貼付、クラッディングのうちの１つであり、気圧連通装置２および噴射管路７の接続部分は密封設計である。該密封設計により、噴射管路７の水が両者の接続部分から漏れ出るのを防止することができる。
【００３５】
実施例２
図１に示すように、気圧連通装置２は前記噴射管路７の取水口１の下流に取り付けられ、好ましくは、気圧連通装置２は噴射管路７における取水口１に近い部分に設置される。このように噴射が終了すると、気圧連通装置２は開状態であり、気圧連通装置２は前記貯水槽カバー１２を介して貯水槽１１と通じ、貯水槽１１は洗濯機外槽と通じる。洗濯機外槽の気圧は噴射管路７の気圧と通じ、噴射管路７の水を全て流出させることができ、ドアを開くと水が垂れるなどの状況が生じるのを減少させる。
【００３６】
実施例３
図２、４、５に示すように、気圧連通装置２は逆止弁８と、逆止弁８と組み合わせて使用する加圧リブ３とを採用する。前記逆止弁８の出口の少なくとも一部は、前記取水口１の下流における噴射管路７の開口に取り付けられ、入口は洗濯機の貯水槽カバー１２を介して洗濯機の貯水槽１１と通じる。洗濯機の貯水槽１１は洗濯機外槽と通じ、前記逆止弁８および噴射装置は密封構造である。逆止弁８と組み合わせて使用する加圧リブ３をさらに含み、前記加圧リブ３は前記逆止弁８の下流で、前記逆止弁８に近い部分に取り付けられる。前記加圧リブ３および噴射管路７の接続は、溶接、貼付、クラッディングなどの形式である。
【００３７】
逆止弁８は弁本体１３および弁棒１４を含み、前記弁棒１４は噴射管路７の中心に垂直に設置され、垂直方向に沿って移動する。前記逆止弁８は「開」、「閉」の２つの状態を有し、水流が通過するとき、水流は噴射管路７内に進入し、加圧リブ３部分で水圧は増大する。逆止弁８が閉状態にあるとき、洗濯機の槽内の気体は噴射管路７に進入することができず、水は噴射管路７を経過して洗濯機の槽内に進入する。
【００３８】
水流が経過した後、逆止弁８が開状態にあるとき、逆止弁８は噴射管路７を介して洗濯機外槽と通じる。洗濯機の槽内の圧力が噴射管路７と同じであると、噴射管路７に残った水は全て洗濯機の槽内に流入する。前記弁棒１４の運動により、前記逆止弁８を介して洗濯機外槽は前記噴射管路７と通じるか、または閉じられる。
【００３９】
上記逆止弁８および加圧リブ３を組み合わせた構造は簡単で、取付は便利である。さらに、洗濯機の槽内の圧力が比較的高いため、噴射管路７中に残った水が管路中に留まり、ユーザが洗濯機のドアを開いた瞬間に、機器外に垂れる状況を効果的に防止することができる。
【００４０】
本実施例の逆止弁８は全て噴射管路７中に位置することができ、このとき、逆止弁８の入口は相応する接続管を介して洗濯機外槽と通じ、相応する接続管および噴射管路７の接続部分は密封される。
【００４１】
実施例４
本実施例の気圧連通装置２は逆止弁８と、逆止弁８と組み合わせて使用する加圧リブ３とを採用する。接続管をさらに含み、前記接続管の一端は噴射管路７と接続され、もう一端は前記貯水槽カバー１２を介して洗濯機の貯水槽１１と通じ、洗濯機の貯水槽１１は洗濯機外槽と通じる。前記逆止弁８は接続管中に取り付けられ、前記加圧リブ３は逆止弁８と組み合わせて使用し、前記加圧リブ３は前記逆止弁８の下流で、前記逆止弁８に近い部分に取り付けられる。前記接続管の一端および噴射管路７の接続は、溶接、貼付、クラッディングなどの形式である。
【００４２】
前記逆止弁８は「開」、「閉」の２つの状態を有し、水流が通過するとき、水流は噴射管路内に進入し、加圧リブ３部分で水圧は増大する。逆止弁８が閉状態にあるとき、洗濯機の槽内の気体は噴射管路７に進入することができず、水は噴射管路７を経過して洗濯機の槽内に進入する。
【００４３】
上記逆止弁８および加圧リブ３を組み合わせた構造は簡単で、取付が便利である。さらに、洗濯機の槽内の圧力が比較的高いため、噴射管路７中に残った水が管路中に留まり、ユーザが洗濯機のドアを開いた瞬間に、機器外に垂れる状況を効果的に防止することができる。
【００４４】
実施例５
図１、２、３に示すように、噴射管路７のもう一端のノズル部分はダブルノズル５設計を採用し、前記ダブルノズル５部分にバッフル式加圧リブ６を追加する。前記バッフル式加圧リブ６は、前記ダブルノズル５の水流の上方に取り付けられる。ダブルノズル５の上方に取り付けられるバッフル式加圧リブ６は、水圧が過度に低いとき、２つのノズルに出現する噴射水量が不足する、または噴射が不均一になる現象を防止することができる。噴射水を洗濯機の槽内に均等に吹きかけ、吹きかける過程がより良好な効果を有することを保証する。ダブルノズル５の設計はより良好な洗浄効果を有し、ユーザのより高い要求を満たすことができる。
【００４５】
実施例６
図１、２、３に示すように、噴射管路７は貯水槽１１の貯水槽カバー１２に一体成型で設置される。気圧連通装置２のもう一側は、前記貯水槽カバー１２を介して洗濯機の貯水槽１１と接続され、前記貯水槽１１は洗濯機外槽と通じる。前記気圧連通装置２は貯水槽カバー１２を介して洗濯機外槽と通じ、これにより洗濯機外槽および噴射管路７の圧力を調節し、洗濯機のドアを開くと水が垂れるなどの状況を解決する。
【００４６】
実施例７
本実施例に記載するのは上記噴射システムを有する洗濯機（図示せず）である。前記噴射管路は洗濯機の貯水槽カバー１２に一体成型で設置され、前記気圧連通装置２は前記貯水槽カバー１２を介して洗濯機の貯水槽１１と通じ、前記貯水槽１１は洗濯機外槽と通じる。好ましくは、前記貯水槽カバー１２表面の上方に流路が設けられ、前記流路は前記貯水槽カバーと一体成型される。前記流路に流路カバーが設置され、前記流路カバーは前記流路と結合し、前記流路カバーおよび前記流路の内側が形成する空洞は噴射管路である。気圧連通装置は洗濯機外槽および噴射管路を通じさせることができ、洗濯機外槽および噴射管路の圧力が同じであることを保証する。噴射管路中の水が全て洗濯機外槽内に流入することができることを保証し、噴射管路内に水が残ることにより、ドアを開いて水が垂れる問題を防止する。
【００４７】
上記実施例中の実施案はさらに組み合わせるか、または置換することができ、さらに実施例は本発明の好ましい実施例を記載したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００４８】
１  取水口
２  気圧連通装置
３  加圧リブ
４  凝縮器
５  ダブルノズル
６  バッフル式加圧リブ
７  噴射管路
８  逆止弁
９  熱蒸気入口
１０  凝縮水入口
１１  貯水槽
１２  貯水槽カバー
１３  弁本体
１４  弁棒
【図１】
2018528036.tif 000003
【図２】
2018528036.tif 000004
【図３】
2018528036.tif 000005
【図４】
2018528036.tif 000006
【図５】
2018528036.tif 000007
【国際調査報告】
2018528036.tif 000008
2018528036.tif 000009
2018528036.tif 000010
2018528036.tif 000011